(57)【要約】【課題】コンテキストに基づいて所定の対象を適切に予測するモデルを生成すること。【解決手段】本願に係る生成装置は、取得部と、生成部とを有する。取得部は、ユーザに関する区分ごとのユーザの行動に関する行動情報を、ユーザが利用する端末装置から取得する。生成部は、コンテキストに基づいて分割された行動情報である分割情報を生成し、生成した各分割情報に含まれる行動情報が示す行動有無の傾向に基づいて組み合わされた分割情報である組合情報を生成し、生成した組合情報を用いて、ユーザが関心を持つコンテンツを予測するモデルを生成する。【選択図】図３
2020129409.tif 000002
【特許請求の範囲】
【請求項１】
ユーザに関する区分ごとのユーザの行動に関する行動情報を、当該ユーザが利用する端末装置から取得する取得部と、
コンテキストに基づいて分割された行動情報である分割情報を生成し、生成した各分割情報に含まれる行動情報が示す行動有無の傾向に基づいて組み合わされた分割情報である組合情報を生成し、生成した組合情報を用いて、ユーザが関心を持つコンテンツを予測するモデルを生成する生成部と、
を備えたことを特徴とする生成装置。
【請求項２】
前記生成部は、
組合情報に含まれる分割情報の各々に対応するコンテキストにおける、当該分割情報に対応する区分に含まれるユーザに関する所定の対象を予測するモデルを生成する
ことを特徴とする請求項１に記載の生成装置。
【請求項３】
前記生成部は、
前記区分として、ユーザ、またはユーザ属性に基づく分類ごとのユーザの行動に関する行動情報が、コンテキストに基づいて分割された分割情報を生成する
ことを特徴とする請求項１または請求項２に記載の生成装置。
【請求項４】
前記生成部は、
前記区分間を跨ぐ組み合わせを含む組合情報ごとに、所定の対象を予測するモデルを生成する
ことを特徴とする請求項１〜３のいずれか１項に記載の生成装置。
【請求項５】
前記生成部は、
組合情報を用いて生成したモデルについて、当該組合情報に含まれる各分割情報に対応するユーザの分類及びコンテキストの組合せにおける所定の対象の予測精度が所定の条件を満たすかどうかに基づいてモデルの生成を繰り返す
ことを特徴とする請求項１〜４のいずれか１項に記載の生成装置。
【請求項６】
前記生成部は、
各分割情報に含まれる行動情報が類似する分割情報が組み合わされた組合情報ごとに、所定の対象を予測するモデルを生成する
ことを特徴とする請求項１〜５のいずれか１項に記載の生成装置。
【請求項７】
前記生成部は、
組合情報の数が所定数になる手法により分割情報が組み合わされた組合情報ごとに、所定の対象を予測するモデルを生成する
ことを特徴とする請求項１〜６のいずれか１項に記載の生成装置。
【請求項８】
前記生成部は、
組合情報の数が変動し得る手法により分割情報が組み合わされた組合情報ごとに、所定の対象を予測するモデルを生成する
ことを特徴とする請求項１〜６のいずれか１項に記載の生成装置。
【請求項９】
前記生成部は、
一の区分がユーザである場合において、一のコンテキストにおける前記ユーザの分割情報が所定の条件を満たさない場合、前記一のコンテキストにおける前記ユーザのユーザ属性に類似する他の区分の分割情報を前記一のコンテキストにおける前記ユーザの分割情報に加えることにより、モデルを生成する
ことを特徴とする請求項１〜８のいずれか１項に記載の生成装置。
【請求項１０】
前記生成部は、
前記一のコンテキストにおける前記ユーザの分割情報の量が所定量に満たない場合、前記一のコンテキストにおける前記他の区分の分割情報を前記一のコンテキストにおける前記ユーザの分割情報に加えることにより、モデルを生成する
ことを特徴とする請求項９に記載の生成装置。
【請求項１１】
一の区分がユーザである場合において、前記ユーザの各分割情報が含まれる組合情報と、他の区分の各分割情報が含まれる組合情報との類似度に基づいて、前記ユーザのユーザ属性を推定する推定部、
をさらに備えたことを特徴とする請求項１〜１０のいずれか１項に記載の生成装置。
【請求項１２】
コンピュータが実行する生成方法であって、
ユーザに関する区分ごとのユーザの行動に関する行動情報を、当該ユーザが利用する端末装置から取得する取得工程と、
コンテキストに基づいて分割された行動情報である分割情報を生成し、生成した各分割情報に含まれる行動情報が示す行動有無の傾向に基づいて組み合わされた分割情報である組合情報を生成し、生成した組合情報を用いて、ユーザが関心を持つコンテンツを予測するモデルを生成する生成工程と、
を含むことを特徴とする生成方法。
【請求項１３】
ユーザに関する区分ごとのユーザの行動に関する行動情報を、当該ユーザが利用する端末装置から取得する取得手順と、
コンテキストに基づいて分割された行動情報である分割情報を生成し、生成した各分割情報に含まれる行動情報が示す行動有無の傾向に基づいて組み合わされた分割情報である組合情報を生成し、生成した組合情報を用いて、ユーザが関心を持つコンテンツを予測するモデルを生成する生成手順と、
をコンピュータに実行させることを特徴とする生成プログラム。
【発明の詳細な説明】
【技術分野】
【０００１】
本発明は、生成装置、生成方法、及び生成プログラムに関する。
【背景技術】
【０００２】
従来、生成した予測モデル（以下、単に「モデル」とする）に基づいて、所定の対象を予測する技術が提供されている。例えば、モデルを用いて所定の需要を予測する技術が提供されている。このような技術において、ユーザに配信するコンテンツへの関心等を予測するモデルを生成する場合、全ユーザを対象にモデルを生成したり、各ユーザを対象にモデルを生成したりする。
【先行技術文献】
【特許文献】
【０００３】
【特許文献１】特開２０１３-１９６０３７号公報
【発明の概要】
【発明が解決しようとする課題】
【０００４】
しかしながら、上記の従来技術では、所定の対象を適切に予測するモデルを生成することが難しい場合がある。例えば、多数のユーザの全員を対象にモデルを生成した場合、各ユーザに対して適切に予測可能なモデルを生成することは難しい。また、例えば、多数のユーザの各々を対象にモデルを生成する場合、モデル生成に用いる情報の量が十分でないユーザに対しては、適切に予測可能なモデルを生成することは難しい。
【０００５】
本願は、上記に鑑みてなされたものであって、コンテキストに基づいて所定の対象を適切に予測するモデルを生成する生成装置、生成方法、及び生成プログラムを提供することを目的とする。
【課題を解決するための手段】
【０００６】
本願に係る生成装置は、ユーザに関する区分ごとのユーザの行動に関する行動情報を、当該ユーザが利用する端末装置から取得する取得部と、コンテキストに基づいて分割された行動情報である分割情報を生成し、生成した各分割情報に含まれる行動情報が示す行動有無の傾向に基づいて組み合わされた分割情報である組合情報を生成し、生成した組合情報を用いて、ユーザが関心を持つコンテンツを予測するモデルを生成する生成部と、を備えたことを特徴とする。
【発明の効果】
【０００７】
実施形態の一態様によれば、コンテキストに基づいて所定の対象を適切に予測するモデルを生成することができるという効果を奏する。
【図面の簡単な説明】
【０００８】
【図１】図１は、実施形態に係る生成処理の一例を示す図である。
【図２】図２は、実施形態に係る配信処理の一例を示す図である。
【図３】図３は、実施形態に係る配信装置の構成例を示す図である。
【図４】図４は、実施形態に係るユーザ情報記憶部の一例を示す図である。
【図５】図５は、実施形態に係る行動情報記憶部の一例を示す図である。
【図６】図６は、実施形態に係る分割情報記憶部の一例を示す図である。
【図７】図７は、実施形態に係るクラスタ情報記憶部の一例を示す図である。
【図８】図８は、実施形態に係る学習情報記憶部の一例を示す図である。
【図９】図９は、実施形態に係るコンテンツ情報記憶部の一例を示す図である。
【図１０】図１０は、実施形態に係る生成処理の一例を示すフローチャートである。
【図１１】図１１は、実施形態に係る生成処理の一例を示すフローチャートである。
【図１２】図１２は、実施形態に係る配信処理の一例を示すフローチャートである。
【図１３】図１３は、実施形態に係るユーザに関する区分の一例を示す図である。
【図１４】図１４は、実施形態に係る他の区分における分割情報の利用の一例を示す図である。
【図１５】図１５は、実施形態に係る他の区分におけるモデルの利用の一例を示す図である。
【図１６】図１６は、実施形態に係るコンテキストの変動の一例を示す図である。
【図１７】図１７は、実施形態に係るコンテキストの統合の一例を示す図である。
【図１８】図１８は、実施形態に係るクラスタ及びモデルに基づくユーザ属性の推定の一例を示す図である。
【図１９】図１９は、配信装置の機能を実現するコンピュータの一例を示すハードウェア構成図である。
【発明を実施するための形態】
【０００９】
以下に、本願に係る生成装置、生成方法、及び生成プログラムを実施するための形態（以下、「実施形態」と呼ぶ）について図面を参照しつつ詳細に説明する。なお、この実施形態により本願に係る生成装置、生成方法、及び生成プログラムが限定されるものではない。また、以下の各実施形態において同一の部位には同一の符号を付し、重複する説明は省略される。
【００１０】
（実施形態）
〔１−１．生成処理〕
まず、図１を用いて、実施形態に係る生成処理の一例について説明する。図１は、実施形態に係る生成処理の一例を示す図である。図１に示す例において、配信装置１００は、所定の対象として、ユーザのコンテンツへの関心を予測するモデルを生成する。また、配信装置１００は、生成したモデルを用いてユーザにコンテンツを配信するサービスを提供するが、この点については図２で説明する。なお、図１及び図２では、ユーザに関する区分をユーザとして説明する。図１及び図２では、ユーザＵ１〜Ｕ４が各々端末装置１０−１〜１０−４を利用する場合を示す。なお、端末装置１０−１〜１０−４を区別せずに説明する場合、端末装置１０と総称する。
【００１１】
図１及び図２に示すように、配信システム１には、端末装置１０と、配信装置１００とが含まれる。端末装置１０と、配信装置１００とは図示しない所定の通信網を介して、有線または無線により通信可能に接続される。なお、図１に示した配信システム１には、複数台の端末装置１０や、複数台の配信装置１００が含まれてもよい。
【００１２】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１は、端末装置１０がスマートフォンである場合を示す。
【００１３】
また、端末装置１０は、ユーザによる操作を受け付ける。図１に示す例において、端末装置１０は、所定のアプリ（例えば、ブラウザ等）に表示するコンテンツを配信装置１００へ要求する。なお、以下では、端末装置１０をユーザと表記する場合がある。すなわち、以下では、ユーザを端末装置１０と読み替えることもできる。
【００１４】
配信装置１００は、コンテキストに基づいて分割された行動情報である分割情報が組み合わされた組合情報ごとに、所定の対象を予測するモデルを生成する生成装置である。また、配信装置１００は、コンテンツの配信要求に応じてコンテンツを配信する配信サービスを提供する情報処理装置である。例えば、配信装置１００は、コンテンツの配信を要求した端末装置１０を利用するユーザに応じて、端末装置１０へコンテンツを配信する情報処理装置である。
【００１５】
図１では、配信装置１００は、各ユーザにコンテンツを配信し、配信したコンテンツに対する各ユーザの行動の有無を示す行動情報を収集する。例えば、配信装置１００は、ユーザＵ１〜Ｕ４にコンテンツを配信し、配信したコンテンツに対する各ユーザの行動の有無を示す行動情報を収集する。例えば、配信装置１００は、行動情報として、ユーザに配信したコンテンツ（例えば、コンテンツＣＮ１１）に対するユーザの行動（例えば、コンテンツのクリック）の有無を示す情報を収集する。
【００１６】
まず、配信装置１００は、ユーザＵ１が利用する端末装置１０−１にコンテンツを配信する（ステップＳ１１−１）。そして、配信装置１００は、配信したコンテンツに対するユーザＵ１の行動の有無を示す行動情報を端末装置１０−１から取得する（ステップＳ１２−１）。また、配信装置１００は、ユーザＵ２が利用する端末装置１０−２にコンテンツを配信する（ステップＳ１１−２）。そして、配信装置１００は、配信したコンテンツに対するユーザＵ２の行動の有無を示す行動情報を端末装置１０−２から取得する（ステップＳ１２−２）。また、配信装置１００は、ユーザＵ３が利用する端末装置１０−３にコンテンツを配信する（ステップＳ１１−３）。そして、配信装置１００は、配信したコンテンツに対するユーザＵ３の行動の有無を示す行動情報を端末装置１０−３から取得する（ステップＳ１２−３）。また、配信装置１００は、ユーザＵ４が利用する端末装置１０−４にコンテンツを配信する（ステップＳ１１−４）。そして、配信装置１００は、配信したコンテンツに対するユーザＵ４の行動の有無を示す行動情報を端末装置１０−４から取得する（ステップＳ１２−４）。
【００１７】
なお、ステップＳ１１−１〜Ｓ１１−４は、処理を説明するためのものであり、ステップＳ１１−１〜Ｓ１１−４のいずれが先に行われてもよく、各ステップＳ１１−１〜Ｓ１１−４は、複数回行われてもよい。以下、ステップＳ１１−１〜Ｓ１１−４を区別せずに説明する場合、ステップＳ１１と総称する。また、ステップＳ１２−１〜Ｓ１２−４は、処理を説明するためのものであり、各々が対応するステップＳ１１よりも後であれば、ステップＳ１２−１〜Ｓ１２−４のいずれが先に行われてもよく、各ステップＳ１２−１〜Ｓ１２−４は、複数回行われてもよい。以下、ステップＳ１２−１〜Ｓ１２−４を区別せずに説明する場合、ステップＳ１２と総称する。例えば、各ステップＳ１１が行われる度にステップＳ１２を行って行動情報を取得してもよい。また、例えば、各ステップＳ１１が複数回行われて、所定のタイミングでステップＳ１２を行って、行動情報を取得してもよい。
【００１８】
そして、配信装置１００は、ステップＳ１１〜Ｓ１２において収集した各ユーザの行動に関する情報を分割する（ステップＳ１３）。具体的には、配信装置１００は、収集した各ユーザの行動情報をコンテキストに基づいて分割する。
【００１９】
ここで、コンテキストは、ユーザや端末装置１０の状況やユーザや端末装置１０の環境（背景）を意味する。例えば、コンテキストは、ユーザによって端末装置１０が使われている状況や、端末装置１０を所持するユーザが置かれている状態に対応する情報である。すなわち、図１及び図２におけるコンテキストは、ユーザＵ１〜Ｕ４の状況、例えばユーザＵ１〜Ｕ４がいる場所の環境に対応する。具体的には、図１及び図２におけるコンテキストは、各ユーザにコンテンツが配信（表示）された際のユーザＵ１〜Ｕ４の状況に対応する。例えば、コンテキストは、コンテンツを配信した時刻や端末装置１０から取得したユーザの位置情報に基づいて推定してもよい。なお、各コンテキストは、排他的であってもよいし、重複してもよい。
【００２０】
また、図１及び図２では、説明を簡単にするため、時間帯と位置とに基づくコンテキストを示す。具体的には、図１及び図２の例におけるコンテキストは、朝（４〜１０時）、昼（１０〜１６時）、夜（１６〜２２時）、深夜（２２〜４時）の４つの時間帯と、家（自宅）またはオフィス（勤務地）の２つの位置とに基づく、８つのコンテキストＣＴ１１〜ＣＴ１８を示す。
【００２１】
ここで、図１中の分割情報記憶部１２３は、ステップＳ１３により各ユーザの行動情報がコンテキストごとに分割された状態を示す。分割情報記憶部１２３は、区分であるユーザを行とし、コンテキストを列とした場合を示す。なお、分割情報記憶部１２３中の一のユーザと一のコンテキストとが交差する領域をマスとする。例えば、図１では、ユーザＵ４とコンテキストＣＴ１２とが交差する領域をマスＭＳ４２とする。なお、各マスの位置を区別せずに説明する場合は、マスＭＳとする場合がある。また、クラスタ情報記憶部１２４等においても、一のユーザと一のコンテキストとが交差する領域がある場合、その領域をマスＭＳとする場合がある。図１に示す各マスＭＳに含まれる情報は、ユーザに関する区分ごとのユーザの行動に関する行動情報がコンテキストに基づいて分割された分割情報である。
【００２２】
例えば、ユーザＵ１とコンテキストＣＴ１１とが交差する位置のマスＭＳ（左上のマスＭＳ）には、行動ＡＴ１１、ＡＴ１２、ＡＴ１３等の行動の有無を示す分割情報が含まれる。例えば、ユーザＵ４とコンテキストＣＴ１８とが交差する位置のマスＭＳ（右下のマスＭＳ）には、行動ＡＴ４８、ＡＴ１１等の行動の有無を示す分割情報が含まれる。
【００２３】
また、分割情報記憶部１２３中の各マスＭＳ中の行動ＡＴ１１等の右側に示す「○」は、ユーザが対応する行動を行ったことを示す。また、分割情報記憶部１２３中の各マスＭＳ中の行動ＡＴ１１等の右側に示す「×」は、ユーザが対応する行動を行わなかったことを示す。例えば、ユーザＵ１とコンテキストＣＴ１１とが交差する位置のマスＭＳにおいて、行動ＡＴ１１は「○」であり、ユーザＵ１は、朝の家において行動ＡＴ１１を行ったことを示す。また、例えば、ユーザＵ１とコンテキストＣＴ１１とが交差する位置のマスＭＳにおいて、行動ＡＴ１２は「×」であり、ユーザＵ１は、朝の家において行動ＡＴ１２を行わなかったことを示す。また、例えば、ユーザＵ１とコンテキストＣＴ１１とが交差する位置のマスＭＳにおいて、行動ＡＴ１３は「○」であり、ユーザＵ１は、朝の家において行動ＡＴ１３を行ったことを示す。
【００２４】
そして、配信装置１００は、分割情報記憶部１２３中の各マスＭＳの分割情報を用いて、モデルを生成する（ステップＳ１４）。例えば、配信装置１００は、分割情報記憶部１２３中の各マスＭＳの分割情報をクラスタリングし、クラスタごとにモデルを生成する。例えば、配信装置１００は、ユーザのコンテンツへの関心を予測するモデルを生成する。
【００２５】
例えば、配信装置１００は、クラスタ数を設定しないクラスタリング手法によりクラスタリングを行ってもよい。また、例えば、配信装置１００は、クラスタ数を設定するクラスタリング手法によりクラスタリングを行ってもよい。例えば、配信装置１００は、ｋ−ｍｅａｎｓ法やディリクレ過程を用いたロジスティック回帰の手法を用いて、各マスＭＳの分割情報をクラスタリングし、クラスタごとの分割情報を用いてモデルを生成する。図１では、配信装置１００は、ディリクレ過程を用いたロジスティック回帰の手法を用いて、各マスＭＳの分割情報をクラスタリングし、クラスタごとの分割情報を用いてモデルを生成するものとして、以下説明する。なお、クラスタリング手法の詳細については後述する。
【００２６】
なお、配信装置１００は、所定量以上の分割情報を含むマスＭＳをステップＳ１４におけるモデル生成の対象としてもよい。例えば、配信装置１００は、分割情報が含まれないユーザＵ４のコンテキストＣＴ１７に対応するマスＭＳやユーザＵ２のコンテキストＣＴ１１に対応するマスＭＳは、クラスタリングの対象としない。また、例えば、配信装置１００は、所定量（例えば２つ）未満の分割情報しか含まれないユーザＵ１のコンテキストＣＴ１３、ＣＴ１８に対応するマスＭＳは、クラスタリングの対象としなくてもよい。
【００２７】
ステップＳ１４により、配信装置１００は、モデル情報ＭＤ１１を生成する。モデル情報ＭＤ１１には、クラスタ情報記憶部１２４に示すような各マスＭＳに含まれる分割情報のクラスタリングに関する情報が含まれる。また、モデル情報ＭＤ１１には、学習情報記憶部１２５に示すようなクラスタごとに生成されたモデルＭ１〜Ｍ６に関する情報が含まれる。
【００２８】
図１では、配信装置１００は、分割情報記憶部１２３中の各マスＭＳの分割情報を６つのクラスタ（クラスタ情報記憶部１２４中のＭ１〜Ｍ６）に分類する。なお、クラスタ情報記憶部１２４中のＭ１〜Ｍ６は、各分割情報が属するクラスタを示すとともに、生成されるモデルを示す。また、クラスタ情報記憶部１２４中のマスＭＳにおいて、Ｍ１〜Ｍ６の符号が図示されていないマスＭＳについては、所定の手法により生成されたモデルが割り当てられるものとする。例えば、配信装置１００は、クラスタ情報記憶部１２４中のモデルが割り当てられていないマスＭＳには、他のマスＭＳに割当てられたモデルに基づいて、モデルを割り当ててもよい。例えば、配信装置１００は、モデルが割り当てられていないユーザＵ４のコンテキストＣＴ１５に対応するマスＭＳには、同じ２０代男性のユーザＵ１のコンテキストＣＴ１５に対応するマスＭＳに割り当てられたモデルＭ４を割り当ててもよい。また、例えば、配信装置１００は、モデルが割り当てられていないユーザＵ４のコンテキストＣＴ１７に対応するマスＭＳには、同じ２０代のユーザＵ１やユーザＵ２のコンテキストＣＴ１７に対応するマスＭＳに割り当てられたモデルに基づくモデルを割り当ててもよい。この場合、配信装置１００は、ユーザＵ１のコンテキストＣＴ１７に対応するマスＭＳに割り当てられたモデルＭ２とユーザＵ２のコンテキストＣＴ１７に対応するマスＭＳに割り当てられたモデルＭ１とを合成したモデルを割り当ててもよい。例えば、配信装置１００は、ユーザＵ１のコンテキストＣＴ１７に対応するマスＭＳに割り当てられたモデルＭ２の各素性の重みとユーザＵ２のコンテキストＣＴ１７に対応するマスＭＳに割り当てられたモデルＭ１の各素性の重みとを所定の割合で合成したモデルを割り当ててもよい。例えば、配信装置１００は、ユーザＵ４のコンテキストＣＴ１７に対応するマスＭＳには、２０代男性のユーザＵ１のコンテキストＣＴ１７に対応するマスＭＳに割り当てられたモデルＭ２の方の比率を大きくしたモデルを割り当ててもよい。例えば、配信装置１００は、ユーザＵ４のコンテキストＣＴ１７に対応するマスＭＳには、モデルＭ１が０．３、モデルＭ２が０．７の比率で合成されたモデルＭ１−２を割り当ててもよい。すなわち、配信装置１００は、モデルＭ１の各素性の重みに０．３を乗算した重みと、モデルＭ２の各素性の重みに０．７を乗算した重みとを合算することにより生成したモデルＭ１−２を、ユーザＵ４のコンテキストＣＴ１７に対応するマスＭＳに割り当ててもよい。
【００２９】
図１では、配信装置１００は、ユーザＵ１のコンテキストＣＴ１１に対応するマスＭＳ、ユーザＵ２のコンテキストＣＴ１５に対応するマスＭＳ、ユーザＵ２のコンテキストＣＴ１７に対応するマスＭＳ、及びユーザＵ４のコンテキストＣＴ１３に対応するマスＭＳに含まれる分割情報を同じクラスタに分類する。また、配信装置１００は、上記４つのマスＭＳに含まれる分割情報を組み合わせた組合情報を用いて、モデルＭ１を生成したことを示す。また、学習情報記憶部１２５に示すように、モデルＭ１に関するモデル情報は、素性１の重みが「０．５」、素性２の重みが「−０．４」、素性３の重みが「０．２」等であることを示す。なお、素性は、配信装置１００の管理者等が設定されてもよいし、モデル生成の処理において抽出されてもよい。例えば、素性は、「経済」や「スマホ」や「サッカー」等の文字列（キーワード）であってもよい。また、各モデルの素性は、同じであってもよいし、異なってもよい。
【００３０】
また、配信装置１００は、ユーザＵ１のコンテキストＣＴ１２、ＣＴ１７に対応するマスＭＳ、ユーザＵ２のコンテキストＣＴ１４に対応するマスＭＳ、及びユーザＵ３のコンテキストＣＴ１２に対応するマスＭＳに含まれる分割情報を同じクラスタに分類する。また、配信装置１００は、ユーザＵ２のコンテキストＣＴ１４に対応するマスＭＳと、ユーザＵ３のコンテキストＣＴ１２に対応するマスＭＳとに含まれる分割情報を組み合わせた組合情報を用いて、モデルＭ２を生成したことを示す。また、学習情報記憶部１２５に示すように、モデルＭ２に関するモデル情報は、素性１の重みが「−０．３」、素性２の重みが「２．１」、素性３の重みが「−０．２」等であることを示す。
【００３１】
このように、図１では、配信装置１００は、分割情報記憶部１２３中の各マスＭＳの分割情報を６つのクラスタ（組合情報）に分類し、各クラスタ（組合情報）に含まれる情報を用いてモデルＭ１〜Ｍ６を生成する。
【００３２】
上述したように、配信装置１００は、コンテキストに基づいて各区分の行動情報を分割しても、区分間を跨ぐクラスタリングを行うことにより、各モデルの生成に用いられる情報量が不足することを抑制することができる。また、配信装置１００は、区分とコンテキストとに基づいて分割された情報をクラスタリングすることにより、各区分の各コンテキストに応じて適切なモデルを生成することができる。したがって、配信装置１００は、コンテキストに基づいて所定の対象を適切に予測するモデルを生成することができる。
【００３３】
なお、図１では、行動情報として、配信したコンテンツへのユーザの行動の有無に関する情報を用いる例を示したが、行動情報はユーザが行う行動であって、収集可能な情報であればどのような情報であってもよい。例えば、行動情報はユーザの電子商取引に関する情報であってもよいし、配信された広告に関する行動（例えば、クリックやコンバージョン等）であってもよい。また、位置は、家（自宅）やオフィス（勤務地）に限らず、通勤時の経由地やよく行く場所や移動中など種々の情報であってもよい。
【００３４】
〔１−２．配信処理〕
次に、図２を用いて、実施形態に係る配信処理の一例について説明する。図２は、実施形態に係る配信処理の一例を示す図である。図２は、ユーザがユーザＵ１である場合を示す。なお、図２では、配信装置１００がユーザＵ１のユーザ属性に関するユーザ情報を取得済みであり、行動履歴等のユーザ情報を取得済みである場合を例に説明する。
【００３５】
まず、配信装置１００は、ユーザＵ１が利用する端末装置１０−１からコンテンツの配信要求を取得する（ステップＳ１５）。図２では、端末装置１０−１は、ステップＳ１５において、ユーザＵ１を識別する情報（例えば、ログインＩＤ等）や端末装置１０−１の場所を示す位置情報等を配信装置１００に送信する。なお、端末装置１０は、ＧＰＳ（Global  Positioning  System）センサ等により位置情報を取得する。図２では、ステップＳ１５は、時間が朝９時であり、端末装置１０−１の場所（位置）が位置ＬＣ１２−１である状況において行われたものとする。なお、位置を示す情報でありハイフン（“-”）が付された位置ＬＣ１２−１等は、位置ＬＣ１２から所定の範囲内の位置情報を意味する。また、位置ＬＣ１１−１、ＬＣ１１−２等（図５参照）は、位置ＬＣ１１から所定の範囲内の位置情報を意味する。すなわち、位置ＬＣ１２−１が、ユーザＵ１の位置情報を示す場合、ユーザＵ１は、位置ＬＣ１２にある勤務地にいるものと推定される。
【００３６】
端末装置１０−１からコンテンツの配信要求を取得した配信装置１００は、端末装置１０−１へ配信するコンテンツを決定するモデルを決定する（ステップＳ１６）。配信装置１００は、端末装置１０−１から取得したユーザＵ１を識別する情報により、配信要求元がユーザＵ１であると推定する。そして、配信装置１００は、ユーザ情報記憶部１２１に記憶されたユーザＵ１のユーザ情報と端末装置１０−１の位置ＬＣ１２−１とに基づいて、ユーザＵ１がいる場所を推定する。図２では、ユーザ情報記憶部１２１に示すようにユーザＵ１の勤務地が位置ＬＣ１２であり、端末装置１０−１の位置が位置ＬＣ１２−１であるため、配信装置１００は、ユーザＵ１がオフィス（勤務地）にいると推定する。
【００３７】
そして、配信装置１００は、ステップＳ１５において配信要求がされた時間が朝９時であるため、コンテキストを朝のオフィスに対応するコンテキストＣＴ１２と推定する。その後、配信装置１００は、学習情報記憶部１２５中のユーザＵ１及びコンテキストＣＴ１２に対応するマスＭＳに記憶されたモデルＭ２を示す情報に基づいて、配信するコンテンツの決定に用いるモデルをモデルＭ２に決定する。
【００３８】
例えば、配信装置１００は、決定したモデルＭ２を用いて、コンテンツ情報記憶部１２６（図９参照）に記憶された各コンテンツのスコアを算出する。具体的には、配信装置１００は、コンテンツ情報記憶部１２６に記憶された各コンテンツＣＮ１１（記事Ａ）〜コンテンツＣＮ１８（記事Ｈ）等のタイトルや記事本文等の文字情報や画像情報とモデルＭ２とを用いて、各コンテンツＣＮ１１〜ＣＮ１８等のスコアを算出する。図２では、配信装置１００は、コンテンツ一覧ＣＬ１１に示すような各コンテンツＣＮ１１〜ＣＮ１８等のスコアを算出する。例えば、配信装置１００は、記事ＡであるコンテンツＣＮ１１のスコアを「３．６」と算出する。また、例えば、配信装置１００は、記事ＢであるコンテンツＣＮ１２のスコアを「２．５」と算出する。
【００３９】
そして、配信装置１００は、コンテンツ一覧ＣＬ１１に示すスコアに基づいて各コンテンツＣＮ１１〜ＣＮ１８等の順位を決定する（ステップＳ１７）。図２では、配信装置１００は、コンテンツ一覧ＣＬ１１に示すスコアが高い方から順に各コンテンツＣＮ１１〜ＣＮ１８等の順位を決定する。具体的には、配信装置１００は、スコアの最も高いコンテンツＣＮ１５である記事Ｅの順位を１位に決定する。また、配信装置１００は、記事Ｅの次にスコアの高いコンテンツＣＮ１７である記事Ｇの順位を２位に決定する。これにより、配信装置１００は、順位一覧ＬＬ１１に示すように、順位１位が記事Ｅであり、順位２位が記事Ｇであり、順位３位が記事Ａであり、順位４位が記事Ｆであると決定する。
【００４０】
その後、配信装置１００は、順位一覧ＬＬ１１に示すコンテンツを端末装置１０−１へ配信する（ステップＳ１８）。具体的には、記事Ｅ、記事Ｇ、記事Ａ、記事Ｆ、等の順で表示されるコンテンツを端末装置１０−１へ配信する。そして、順位一覧ＬＬ１１に示すコンテンツを受信した端末装置１０−１は、コンテンツを表示する（ステップＳ１９）。図２では、端末装置１０−１は、順位一覧ＬＬ１１に示すコンテンツのうち順位が上位のコンテンツである記事Ｅ、記事Ｇ、記事Ａ、記事Ｆを表示する。なお、端末装置１０−１を利用するユーザＵ１は、端末装置１０−１の画面にタッチしスクロール操作等を行うことにより、記事Ｆから下の記事Ｂ、記事Ｈ等を順次表示させる。
【００４１】
上述したように、配信装置１００は、配信要求を取得した際のコンテキストに応じて、モデルを決定する。そして、配信装置１００は、決定したモデルを用いて算出したコンテンツのスコアに基づいて、コンテンツの順位を決定する。これにより、配信装置１００は、ユーザと配信要求時のコンテキストとに応じて適切なコンテンツを配信することができる。したがって、配信装置１００は、適切なコンテンツを抽出することができる。なお、上記の例では、配信装置１００がユーザのコンテキストに基づいて選択したモデルを用いて算出した各コンテンツのスコアを算出し、算出した各コンテンツのスコアが高い方から順に順位付けを行う場合を示した。このように、上述した例では、配信装置１００は、ユーザが対応するコンテキストにおいて、各コンテンツを閲覧する可能性を連続的な数値（スコア）として算出するモデルを用いる場合を示した。すなわち、上記例では、配信装置１００がユーザのコンテキストに基づいて選択したモデルを用いて算出した各コンテンツのスコアが高い程、そのコンテンツが閲覧される可能性が高いと予測する場合を示したが、配信装置１００は、選択したモデルを用いてどのような予測を行ってもよい。
【００４２】
例えば、配信装置１００は、所定の閾値以上のスコアのコンテンツをユーザが閲覧すると予測し、所定の閾値未満のスコアのコンテンツをユーザが閲覧しないと予測してもよい。このように、配信装置１００は、コンテキストに基づいて選択したモデルを用いて算出した各コンテンツのスコアにより、ユーザがコンテンツの閲覧をする（例えば、値「１」）かしない（例えば、値「０」）かの２値の予測を行ってもよい。なお、配信装置１００は、２値の予測に限らず、連続値や離散値を予測するモデルを生成し、生成したモデルに基づいて、連続値や離散値を予測してもよい。例えば、配信装置１００は、値が「０」及び「１」の２値に限らず、３値以上の値を取り扱う、いわゆるマルチラベル問題に対応する予測を行ってもよい。例えば、配信装置１００は、ユーザのコンテンツの閲覧有無の２段階ではなく、３以上の段階のいずれの段階にユーザがあるかを予測してもよい。例えば、配信装置１００は、複数の閾値を用いて、コンテンツをユーザが閲覧する可能性がいずれの段階であるかを予測してもよい。具体的には、予測装置１００は、第１の閾値と、第１の閾値よりも小さい第２の閾値を用いて、スコアが第１の閾値以上の場合、コンテンツをユーザが閲覧する可能性が高いと判定し、スコアが第１の閾値未満であり第２の閾値以上の場合、コンテンツをユーザが閲覧する可能性が中程度であると判定し、スコアが第２の閾値未満の場合、コンテンツをユーザが閲覧する可能性が低いと予測してもよい。また、例えば、配信装置１００は、反応回数を予測したり、所定の対象のスコアを予測したりするモデルを生成し、生成したモデルに基づいて予測を行ってもよい。すなわち、配信装置１００がユーザのコンテキストに基づいて選択したモデルを用いて、どのような予測を行ってもよい。また、配信装置１００は、上述のように予測を行う対象に応じてモデルを生成してもよい。
【００４３】
〔２．配信装置の構成〕
次に、図３を用いて、実施形態に係る配信装置１００の構成について説明する。図３は、実施形態に係る配信装置１００の構成例を示す図である。図３に示すように、配信装置１００は、通信部１１０と、記憶部１２０と、制御部１３０とを有する。なお、配信装置１００は、配信装置１００の管理者等から各種操作を受け付ける入力部（例えば、キーボードやマウス等）や、各種情報を表示するための表示部（例えば、液晶ディスプレイ等）を有してもよい。
【００４４】
（通信部１１０）
通信部１１０は、例えば、ＮＩＣ（Network  Interface  Card）等によって実現される。そして、通信部１１０は、ネットワークと有線または無線で接続され、端末装置１０との間で情報の送受信を行う。
【００４５】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図３に示すように、ユーザ情報記憶部１２１と、行動情報記憶部１２２と、分割情報記憶部１２３と、クラスタ情報記憶部１２４と、学習情報記憶部１２５と、コンテンツ情報記憶部１２６とを有する。
【００４６】
（ユーザ情報記憶部１２１）
実施形態に係るユーザ情報記憶部１２１は、ユーザに関する各種情報を記憶する。例えば、ユーザ情報記憶部１２１は、ユーザ属性に関する各種情報を記憶する。図４は、実施形態に係るユーザ情報記憶部の一例を示す図である。図４に示すユーザ情報記憶部１２１は、「ユーザＩＤ」、「年齢」、「性別」、「自宅」、「勤務地」、「興味」といった項目が含まれる。
【００４７】
「ユーザＩＤ」は、ユーザを識別するための識別情報を示す。例えば、ユーザＩＤ「Ｕ１」により識別されるユーザは、図１の例に示したユーザＵ１に対応する。また、「年齢」は、ユーザＩＤにより識別されるユーザの年齢を示す。なお、「年齢」は、例えば３５歳など、ユーザＩＤにより識別されるユーザの具体的な年齢であってもよい。また、「性別」は、ユーザＩＤにより識別されるユーザの性別を示す。
【００４８】
また、「自宅」は、ユーザＩＤにより識別されるユーザの自宅の位置情報を示す。なお、図４に示す例では、「自宅」は、「ＬＣ１１」といった抽象的な符号を図示するが、緯度や経度を示す情報であってもよい。また、例えば、「自宅」は、地域名や住所であってもよい。
【００４９】
また、「勤務地」は、ユーザＩＤにより識別されるユーザの勤務地の位置情報を示す。なお、図４に示す例では、「勤務地」は、「ＬＣ１２」といった抽象的な符号を図示するが、緯度や経度を示す情報であってもよい。また、例えば、「自宅」は、地域名や住所であってもよい。
【００５０】
また、「興味」は、ユーザＩＤにより識別されるユーザの興味を示す。すなわち、「興味」は、ユーザＩＤにより識別されるユーザが関心の高い対象を示す。なお、図４に示す例では、「興味」は、各ユーザに１つずつ図示するが、複数であってもよい。
【００５１】
例えば、図４に示す例において、ユーザＩＤ「Ｕ１」により識別されるユーザの年齢は、「２０代」であり、性別は、「男性」であることを示す。また、例えば、ユーザＩＤ「Ｕ１」により識別されるユーザは、自宅が「ＬＣ１１」であることを示す。また、例えば、ユーザＩＤ「Ｕ１」により識別されるユーザは、勤務地が「ＬＣ１２」であることを示す。また、例えば、ユーザＩＤ「Ｕ１」により識別されるユーザは、「スポーツ」に興味があることを示す。
【００５２】
なお、ユーザ情報記憶部１２１は、上記に限らず、目的に応じて種々の情報を記憶してもよい。例えば、ユーザ情報記憶部１２１は、氏名、家族構成、収入等の情報を記憶してもよい。
【００５３】
（行動情報記憶部１２２）
実施形態に係る行動情報記憶部１２２は、ユーザの行動に関する各種情報を記憶する。図５は、実施形態に係る行動情報記憶部の一例を示す図である。例えば、行動情報記憶部１２２は、各ユーザの端末装置１０に配信したコンテンツに対するユーザの行動情報を記憶する。図５に示す行動情報記憶部１２２には、「ユーザＩＤ」、「行動」、「状況」といった項目が含まれる。また、「行動」には、「行動内容」、「有無」といった項目が含まれる。また、「状況」には、「時刻」、「位置」といった項目が含まれる。
【００５４】
「ユーザＩＤ」は、ユーザを識別するための識別情報を示す。例えば、ユーザＩＤ「Ｕ１」により識別されるユーザは、図１の例に示したユーザＵ１に対応する。また、「行動」は、対応するユーザの行動に関する情報を示す。また、「状況」は、対応するユーザの状況に関する情報を示す。
【００５５】
「行動内容」は、各行動を識別するための識別情報を示す。例えば、行動内容「ＡＴ１１」により識別される行動（行動ＡＴ１１）は、ユーザに配信したコンテンツ（例えば、コンテンツＣＮ１１）に対するユーザの行動（例えば、コンテンツのクリック）に対応する。なお、行動内容は、識別情報に限らず、具体的な行動内容が記憶されてもよい。また、「有無」は、対応する行動内容の有無を示す。「有無」が「１」の場合、ユーザが対応する行動を行ったことを示す。また、「有無」が「０」の場合、ユーザが対応する行動を行わなかったことを示す。
【００５６】
「時刻」は、各行動に関する時刻を示す。時刻「ＴＭ１１」は、行動ＡＴ１１に関する時刻を示す。例えば、時刻「ＴＭ１１」は、ユーザにコンテンツ（例えば、コンテンツＣＮ１１）が配信された時刻であってもよい。また、例えば、時刻「ＴＭ１１」は、ユーザに配信したコンテンツ（例えば、コンテンツＣＮ１１）をユーザがクリックした時刻であってもよい。有無「０」である行動内容「ＡＴ１２」により識別される行動（行動ＡＴ１２）に関する時刻「ＴＭ１２」は、例えば、ユーザにコンテンツが配信された時刻であってもよい。また、例えば、時刻「ＴＭ１２」は、ユーザにコンテンツが配信されてからクリックされずに所定の時間が経過した後の時刻であってもよい。
【００５７】
また、「位置」は、各行動に関する位置を示す。位置「ＬＣ１１−１」は、行動ＡＴ１１に関する位置を示す。例えば、位置「ＬＣ１１−１」は、ユーザがコンテンツの配信を要求したときの位置情報であってもよい。また、例えば、位置「ＬＣ１１−１」は、ユーザが配信されたコンテンツをクリックしたときの位置情報であってもよい。
【００５８】
例えば、図５に示す例において、ユーザＩＤ「Ｕ１」により識別されるユーザは、行動内容「ＡＴ１３」により識別される行動（行動ＡＴ１３）が有無「１」であり、行動ＡＴ１３を行ったことを示す。また、ユーザＩＤ「Ｕ１」により識別されるユーザは、行動ＡＴ１３に関する時刻が時刻「ＴＭ１３」であり、位置が位置「ＬＣ１１−３」であることを示す。
【００５９】
なお、行動情報記憶部１２２は、上記に限らず、目的に応じて種々の情報を記憶してもよい。例えば、行動情報記憶部１２２は、コンテンツが配信されてから、ユーザが行動するまでの時間に関する情報を記憶してもよい。また、図５では、ユーザＩＤごとに行動情報が行動情報記憶部１２２に記憶される場合を示したが、行動情報は、ユーザＩＤごとに限らず、例えば時刻順に記憶されてもよい。
【００６０】
（分割情報記憶部１２３）
実施形態に係る分割情報記憶部１２３は、分割情報に関する各種情報を記憶する。図６は、実施形態に係る分割情報記憶部の一例を示す図である。図６に示す分割情報記憶部１２３は、「区分」と「コンテキスト」に基づいて分割された行動情報が記憶される。具体的には、ユーザの「区分」ごとに、各「コンテキスト」に対応する行動情報が記憶される。例えば、分割情報記憶部１２３に記憶される情報は、行動情報記憶部１２２に記憶された行動情報から生成される。
【００６１】
「区分」は、ユーザに関する区分を示す。図６では、ユーザＵ１〜Ｕ４、すなわち各ユーザが区分である場合を示す。なお、「区分」は、各ユーザに限らず抽象化されたユーザ分類等であってもよいが、この点については後述する。また、「コンテキスト」は、コンテキストを示す。図６では、説明を簡単にするため、時間帯と位置とに基づくコンテキストを示す。具体的には、「コンテキスト」は、朝（４〜１０時）、昼（１０〜１６時）、夜（１６〜２２時）、深夜（２２〜４時）の４つの時間帯と、家（自宅）またはオフィス（勤務地）の２つの位置とに基づく、８つのコンテキストＣＴ１１〜ＣＴ１８を示す。なお、図６に示す各マス中の「ＡＴ１１」等の行動内容の右側に示す「○」は、有無の「１」に対応し、「×」は、有無の「０」に対応する。すなわち、「○」の場合、ユーザが対応する行動を行ったことを示す。また、「×」の場合、ユーザが対応する行動を行わなかったことを示す。
【００６２】
例えば、図６に示す例において、ユーザＵ１は、コンテキストＣＴ１１において、行動ＡＴ１１が「○」であり、時間帯「朝」に家（自宅）で行動ＡＴ１１を行ったことを示す。また、ユーザＵ１は、コンテキストＣＴ１２において、行動ＡＴ１１が「×」であり、時間帯「朝」にオフィス（勤務地）で行動ＡＴ１１を行わなかったことを示す。
【００６３】
なお、分割情報記憶部１２３は、上記に限らず、目的に応じて種々の情報を記憶してもよい。また、図６では、説明のために、分割情報記憶部１２３に各行動情報の行動内容及び有無に関する情報を記憶する場合を図示したが、分割情報記憶部１２３は、行動情報記憶部１２２に記憶された行動情報がどのマスに対応するかに関する情報を記憶してもよい。
【００６４】
（クラスタ情報記憶部１２４）
実施形態に係るクラスタ情報記憶部１２４は、各分割情報の組合せに関する各種情報を記憶する。図７は、実施形態に係るクラスタ情報記憶部の一例を示す図である。図７に示すクラスタ情報記憶部１２４は、図６中の分割情報記憶部１２３に示す各マスの分割情報がどのように組み合わされたかを示す情報と各組合せに対応するモデルを識別する情報が記憶される。具体的には、ユーザの「区分」と「コンテキスト」とによる各マスに対応するモデルを識別する情報が記憶される。例えば、クラスタ情報記憶部１２４に記憶される情報は、モデルを生成する処理により生成される。
【００６５】
「区分」は、ユーザに関する区分を示す。図７では、図６と同様に、ユーザＵ１〜Ｕ４、すなわち各ユーザが区分である場合を示す。また、「コンテキスト」は、コンテキストを示す。図７では、図６と同様に、時間帯と位置とに基づくコンテキストを示す。具体的には、「コンテキスト」は、朝（４〜１０時）、昼（１０〜１６時）、夜（１６〜２２時）、深夜（２２〜４時）の４つの時間帯と、家（自宅）またはオフィス（勤務地）の２つの位置とに基づく、８つのコンテキストＣＴ１１〜ＣＴ１８を示す。なお、図７に示す各マス中の「Ｍ１」や「Ｍ２」等は、同じ符号が記憶されたマスの分割情報を組み合わせた組合情報により生成されたモデルを識別する情報を示す。
【００６６】
例えば、図７に示す例において、「Ｍ１」により識別されるモデル（以下、「モデルＭ１」とする場合がある。他の「Ｍ２」〜「Ｍ６」についても同様）は、ユーザＵ１のコンテキストＣＴ１１に対応するマスＭＳ、ユーザＵ２のコンテキストＣＴ１５に対応するマスＭＳ、ユーザＵ２のコンテキストＣＴ１７に対応するマスＭＳ、及びユーザＵ４のコンテキストＣＴ１３に対応するマスＭＳに含まれる分割情報を組み合わせた組合情報から生成されたことを示す。また、例えば、モデルＭ２は、ユーザＵ１のコンテキストＣＴ１２、ＣＴ１７に対応するマスＭＳ、ユーザＵ２のコンテキストＣＴ１４に対応するマスＭＳ、及びユーザＵ３のコンテキストＣＴ１２に対応するマスＭＳに含まれる分割情報を組み合わせた組合情報から生成されたことを示す。
【００６７】
なお、クラスタ情報記憶部１２４は、上記に限らず、目的に応じて種々の情報を記憶してもよい。
【００６８】
（学習情報記憶部１２５）
実施形態に係る学習情報記憶部１２５は、学習に関する情報を記憶する。例えば、学習情報記憶部１２５は、生成処理により生成されたモデル情報を記憶する。図８は、実施形態に係る学習情報記憶部の一例を示す図である。図８に示す学習情報記憶部１２５は、モデル情報として、各モデルＭ１〜Ｍ６に対応させて「素性１」〜「素性３」等といった項目を有する。
【００６９】
例えば、図８に示す例において、モデルＭ１に関するモデル情報は、素性１の重みが「０．５」、素性２の重みが「−０．４」、素性３の重みが「０．２」等であることを示す。例えば、モデルの素性（特徴量）がｍ次元のベクトルで表現される場合、素性数はｍ個になり、素性１〜素性ｍの重みが記憶される。
【００７０】
なお、学習情報記憶部１２５は、上記に限らず、目的に応じて種々のモデル情報を記憶してもよい。
【００７１】
（コンテンツ情報記憶部１２６）
実施形態に係るコンテンツ情報記憶部１２６は、コンテンツ（記事）に関する各種情報を記憶する。図９は、実施形態に係るコンテンツ情報記憶部の一例を示す図である。図９に示すコンテンツ情報記憶部１２６は、「コンテンツＩＤ」、「コンテンツ」、「カテゴリ」といった項目を有する。
【００７２】
「コンテンツＩＤ」は、コンテンツを識別するための識別情報を示す。「コンテンツ」は、いわゆるコンテンツプロバイダ等の提供元から取得したコンテンツである記事を示す。図９では「コンテンツ」に「記事Ａ」といった概念的な情報が格納される例を示したが、実際には、文字情報や文字情報と画像との組合せ、または、これらの格納場所を示すファイルパス名などが格納される。また、「カテゴリ」は、コンテンツの内容に基づく分類情報を示す。
【００７３】
例えば、図９に示す例において、コンテンツＩＤ「ＣＮ１１」により識別される記事Ａ（コンテンツＣＮ１１）は、カテゴリ「経済」に分類されることを示す。また、図９に示す例において、コンテンツＩＤ「ＣＮ１２」により識別される記事Ｂ（コンテンツＣＮ１２）は、カテゴリ「スポーツ」に分類されることを示す。
【００７４】
なお、コンテンツ情報記憶部１２６は、上記に限らず、目的に応じて種々の情報を記憶してもよい。例えば、コンテンツ情報記憶部１２６は、コンテンツを取得した日時やコンテンツが作成された日時に関する情報を記憶してもよい。コンテンツ情報記憶部１２６は、各提供元の評価値に関する情報を記憶してもよい。また、コンテンツ情報記憶部１２６は、コンテンツの提供元を識別するための識別情報を記憶してもよい。また、コンテンツ情報記憶部１２６は、各モデルにより算出されたコンテンツのスコアを記憶してもよい。
【００７５】
（制御部１３０）
図３の説明に戻って、制御部１３０は、例えば、ＣＰＵ（Central  Processing  Unit）やＭＰＵ（Micro  Processing  Unit）等によって、配信装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００７６】
図３に示すように、制御部１３０は、取得部１３１と、推定部１３２と、生成部１３３と、決定部１３４と、配信部１３５とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００７７】
（取得部１３１）
取得部１３１は、ユーザの行動情報を取得する。取得部１３１は、ユーザが利用する端末装置１０からユーザの行動情報を取得する。また、取得部１３１は、ユーザに関するユーザ情報を取得する。また、取得部１３１は、ユーザに関する区分ごとのユーザの行動に関する行動情報であって、コンテキストに基づいて分割された行動情報である分割情報を取得する。例えば、取得部１３１は、分割情報記憶部１２３から分割情報を取得する。また、取得部１３１は、区分として、ユーザ、またはユーザ属性に基づく分類ごとのユーザの行動に関する行動情報が、コンテキストに基づいて分割された分割情報を取得する。
【００７８】
また、取得部１３１は、端末装置１０からコンテンツの配信要求を取得する。また、取得部１３１は、ユーザを識別する情報（例えば、ログインＩＤや端末識別情報等）や端末装置１０の位置情報等を取得する。
【００７９】
（推定部１３２）
推定部１３２は、取得した各種情報から種々の情報を推定する。例えば、推定部１３２は、コンテンツを配信した時刻や端末装置１０から取得したユーザの位置情報に基づいて種々の情報を推定する。例えば、推定部１３２は、端末装置１０から取得したユーザを識別する情報により、配信要求元のユーザを推定する。例えば、推定部１３２は、ユーザ情報記憶部１２１に記憶されたユーザのユーザ情報と端末装置１０の位置とに基づいて、ユーザがいる場所を推定する。図２では、推定部１３２は、ユーザ情報記憶部１２１に示すようにユーザＵ１の勤務地が位置ＬＣ１２であり、端末装置１０−１の位置が位置ＬＣ１２−１であるため、ユーザＵ１がオフィス（勤務地）にいると推定する。また、図２では、推定部１３２は、配信要求がされた時間が朝９時であるため、コンテキストを朝のオフィスに対応するコンテキストＣＴ１２と推定する。
【００８０】
また、推定部１３２は、一の区分がユーザである場合において、ユーザの各分割情報が含まれる組合情報と、他の区分の各分割情報が含まれる組合情報との類似度に基づいて、ユーザのユーザ属性を推定するが、詳細は後述する。
【００８１】
（生成部１３３）
生成部１３３は、分割情報を生成してもよい。また、生成部１３３は、生成した分割情報を分割情報記憶部１２３に記憶させてもよい。例えば、生成部１３３は、収集した各ユーザの行動に関する情報を分割してもよい。例えば、生成部１３３は、収集した各ユーザの行動情報を、推定部１３２により推定されたコンテキストに基づいて分割する。
【００８２】
生成部１３３は、各分割情報に含まれる行動情報の傾向に基づいて組み合わされた分割情報である組合情報ごとに、所定の対象を予測するモデルを生成する。例えば、図１では、ユーザＵ１とコンテキストＣＴ１１とが交差する位置のマスＭＳ、及びユーザＵ４とコンテキストＣＴ１３とが交差する位置のマスＭＳが同じクラスタに分類される。ユーザＵ１とコンテキストＣＴ１１とが交差する位置のマスＭＳ、及びユーザＵ４とコンテキストＣＴ１３とが交差する位置のマスＭＳは、ともに行動ＡＴ１１が「○」である分割情報が含まれる。ユーザＵ１とコンテキストＣＴ１１とが交差する位置のマスＭＳ、及びユーザＵ４とコンテキストＣＴ１３とが交差する位置のマスＭＳには、同じ傾向を示す分割情報が含まれる。そして、生成部１３３は、ユーザＵ１とコンテキストＣＴ１１とが交差する位置のマスＭＳの分割情報、及びユーザＵ４とコンテキストＣＴ１３とが交差する位置のマスＭＳの分割情報を含む組合情報を用いてモデルＭ１を生成する。
【００８３】
また、生成部１３３は、組合情報に含まれる分割情報の各々に対応するコンテキストにおける当該分割情報に対応する区分に含まれるユーザに関する所定の対象を予測するモデルを生成する。生成部１３３は、区分間を跨ぐ組み合わせを含む組合情報ごとに、所定の対象を予測するモデルを生成する。例えば、生成部１３３は、ユーザＵ２とコンテキストＣＴ１２とが交差する位置のマスＭＳの分割情報、及びユーザＵ４とコンテキストＣＴ１４とが交差する位置のマスＭＳの分割情報を含む組合情報を用いてモデルＭ６を生成する。すなわち、生成部１３３は、ユーザＵ２とユーザＵ４との区分間を跨ぐ組合情報を用いてモデルＭ６を生成する。
【００８４】
例えば、生成部１３３は、組合情報に含まれる各分割情報に対応するユーザの分類及びコンテキストの組合せにおける所定の対象の予測精度が高くなるように分割情報が組み合わされた組合情報ごとに、所定の対象を予測するモデルを生成する。例えば、生成部１３３は、各分割情報に含まれる行動情報が類似する分割情報が組み合わされた組合情報ごとに、所定の対象を予測するモデルを生成する。例えば、生成部１３３は、所定の対象として、ユーザのコンテンツへの関心を予測するモデルを生成する。
【００８５】
例えば、生成部１３３は、組合情報の数が所定数になる手法により分割情報が組み合わされた組合情報ごとに、所定の対象を予測するモデルを生成する。例えば、生成部１３３は、ｋ−ｍｅａｎｓ法を用いて分割情報が組み合された組合情報ごとにモデルを生成する。この場合、生成部１３３は、決定部１３４により決定（設定）されたクラスタ数（組合情報数）になるように、分割情報を組み合わせて組合情報を生成し、組合情報ごとにモデルを生成する。
【００８６】
例えば、生成部１３３は、組合情報の数が変動し得る手法により分割情報が組み合わされた組合情報ごとに、所定の対象を予測するモデルを生成する。例えば、生成部１３３は、ディリクレ過程を用いたロジスティック回帰の手法を用いて分割情報が組み合された組合情報ごとにモデルを生成する。例えば、生成部１３３は、分割情報を順次組み合わせていくことにより、組合情報を生成し、組合情報ごとにモデルを生成する。
【００８７】
例えば、生成部１３３は、複数の分割情報を組み合わせた組合情報を生成し、その組合情報に対してモデルを生成する。例えば、生成部１３３は、ランダムに複数の分割情報を選択して組合情報を生成し、その組合情報に対してモデルを生成する。そして、生成部１３３は、生成したモデルの予測精度を検証する。ここでいう予測精度とは、ユーザの行動有無を予測できる確率をいう。例えば、ここでいう予測精度とは、モデルを用いた場合において、行動情報において「○」であったコンテンツについて、所定のスコア以上が算出される確率をいう。そして、生成部１３３は、生成したモデルの予測精度が所定の閾値以上である場合、その組み合わせを維持して、さらに分割情報を組み合わせる処理を行ってもよい。また、生成部１３３は、ペナルティ項等の所定のハイパーパラメータを用いてもよい。例えば、生成部１３３は、クラスタ数が少なくなるほど値が小さくなるペナルティ項を用いてもよい。例えば、生成部１３３は、モデルの予測精度からクラスタ数に所定の係数を乗算した値を減算することにより算出される数値に基づいて、組み合わせを維持するか解除するかを判定してもよい。この場合、生成部１３３は、クラスタ数の減少とモデルの予測精度とのトレードオフに基づいて、所定のクラスタ数に分類された組合情報およびモデルを生成する。
【００８８】
例えば、生成部１３３は、交差検証（クロスバリデーション）により、一部をモデルの生成に用い、残りを検証用に用いて生成されたモデルの予測精度を検証してもよい。例えば、生成部１３３は、組合情報のうち８０％をモデル生成に用い、残りの２０％を検証に用いてもよい。例えば、生成部１３３は、検証した予測精度が所定の基準を満たした場合、その組み合わせを維持して、さらに分割情報を組み合わせる処理を行ってもよい。また、生成部１３３は、検証した予測精度が所定の基準を満たさない場合、その組み合わせを解除して、別の分割情報を組み合わせる処理を行ってもよい。また、生成部１３３は、分割情報を組み合わせる度に、モデル生成に用いる情報と、検証に用いる情報とを入れ替えて交差検証（クロスバリデーション）を複数回行った平均により、組み合わせを維持するか解除するかを判定してもよい。
【００８９】
例えば、生成部１３３は、一の区分がユーザである場合において、一のコンテキストにおけるユーザの分割情報が所定の条件を満たさない場合、一のコンテキストにおけるユーザのユーザ属性に類似する他の区分の分割情報を一のコンテキストにおけるユーザの分割情報に加えることにより、モデルを生成する。例えば、生成部１３３は、一のコンテキストにおけるユーザの分割情報の量が所定量に満たない場合、一のコンテキストにおける他の区分の分割情報を一のコンテキストにおけるユーザの分割情報に加えることにより、モデルを生成する。なお、これらの点についての詳細は後述する。
【００９０】
（決定部１３４）
決定部１３４は、端末装置１０へ配信するコンテンツを決定するモデルを決定する。図２では、決定部１３４は、クラスタ情報記憶部１２４中のユーザＵ１及びコンテキストＣＴ１２に対応するマスＭＳに記憶されたモデルＭ２を示す情報に基づいて、配信するコンテンツの決定に用いるモデルをモデルＭ２に決定する。
【００９１】
例えば、決定部１３４は、決定したモデルとコンテンツとに基づいて、コンテンツのスコアを算出する。また、例えば、決定部１３４は、算出したスコアに基づいて各コンテンツの順位を決定する。図２では、決定部１３４は、コンテンツ一覧ＣＬ１１に示すスコアに基づいて各コンテンツＣＮ１１〜ＣＮ１８等の順位を決定する。また、決定部１３４は、スコアの最も高いコンテンツＣＮ１５である記事Ｅの順位を１位に決定する。また、決定部１３４は、記事Ｅの次にスコアの高いコンテンツＣＮ１７である記事Ｇの順位を２位に決定する。これにより、決定部１３４は、順位一覧ＬＬ１１に示すように、順位１位が記事Ｅであり、順位２位が記事Ｇであり、順位３位が記事Ａであり、順位４位が記事Ｆであると決定する。
【００９２】
（配信部１３５）
配信部１３５は、端末装置１０に各種情報を配信する。例えば、配信部１３５は、端末装置１０にコンテンツを配信する。また、配信部１３５は、決定部１３４により決定されたコンテンツを配信する。図２では、配信部１３５は、順位一覧ＬＬ１１に示すコンテンツを端末装置１０−１へ配信する。また、配信部１３５は、記事Ｅ、記事Ｇ、記事Ａ、記事Ｆ、等の順で表示されるコンテンツを端末装置１０−１へ配信する。
【００９３】
〔３．生成処理のフロー〕
〔３−１．クラスタ数を設定しない手法〕
次に、図１０を用いて、実施形態に係る配信システム１による生成処理の手順について説明する。図１０は、実施形態に係る生成処理の一例を示すフローチャートである。具体的には、図１０は、クラスタ数（組合情報数）を決定しない手法による生成処理の一例を示すフローチャートである。
【００９４】
図１０に示すように、配信装置１００の取得部１３１は、各ユーザの行動情報を取得する（ステップＳ１０１）。例えば、取得部１３１は、各ユーザが利用する端末装置１０からユーザの行動情報を取得する。
【００９５】
また、配信装置１００の生成部１３３は、コンテキストに応じて情報を分割する（ステップＳ１０２）。例えば、生成部１３３は、行動情報を取得した際のコンテキストに応じて、行動情報を分割した分割情報を生成する。なお、ステップＳ１０１とステップＳ１０２は、複数回に亘って行われてもよい。
【００９６】
その後、生成部１３３は、クラスタ数を決定しない手法により、分割情報のクラスタリング及びモデルの生成を行う（ステップＳ１０３）。例えば、生成部１３３は、ディリクレ過程を用いたロジスティック回帰の手法を用いて分割情報が組み合された組合情報ごとにモデルを生成する。
【００９７】
〔３−２．クラスタ数を設定する手法〕
次に、図１１を用いて、実施形態に係る配信システム１による生成処理の手順について説明する。図１１は、実施形態に係る生成処理の一例を示すフローチャートである。具体的には、図１１は、クラスタ数（組合情報数）を予め設定（決定）する手法による生成処理の一例を示すフローチャートである。
【００９８】
図１１に示すように、配信装置１００の取得部１３１は、各ユーザの行動情報を取得する（ステップＳ２０１）。例えば、取得部１３１は、各ユーザが利用する端末装置１０からユーザの行動情報を取得する。
【００９９】
また、配信装置１００の生成部１３３は、コンテキストに応じて情報を分割する（ステップＳ２０２）。例えば、生成部１３３は、行動情報を取得した際のコンテキストに応じて、行動情報を分割した分割情報を生成する。なお、ステップＳ２０１とステップＳ２０２は、複数回に亘って行われてもよい。
【０１００】
また、配信装置１００の決定部１３４は、クラスタ数（組合情報数）を設定（決定）する（ステップＳ２０３）。例えば、決定部１３４は、クラスタ数（組合情報数）を「６」に設定（決定）する。なお、ステップＳ２０３の処理は、ステップＳ２０４よりも前であれば、いずれのタイミングで行われてもよい。
【０１０１】
その後、生成部１３３は、クラスタ数を決定する手法により、分割情報のクラスタリング及びモデルの生成を行う（ステップＳ２０４）。例えば、生成部１３３は、ｋ−ｍｅａｎｓ法を用いて分割情報が組み合された組合情報ごとにモデルを生成する。
【０１０２】
〔４．配信処理のフロー〕
次に、図１２を用いて、実施形態に係る配信システム１による配信処理の手順について説明する。図１２は、実施形態に係る配信処理の一例を示すフローチャートである。
【０１０３】
図１２に示すように、配信装置１００の取得部１３１は、配信要求を取得する（ステップＳ３０１）。例えば、取得部１３１は、各ユーザが利用する端末装置１０からコンテンツの配信要求を取得する。
【０１０４】
そして、配信装置１００の推定部１３２は、ユーザ及びコンテキストを推定する（ステップＳ３０２）。例えば、推定部１３２は、端末装置１０から取得したユーザを識別する情報により、配信要求元のユーザを推定する。また、例えば、推定部１３２は、配信要求がされた時刻や端末装置１０の位置に基づいて、コンテキストを推定する。
【０１０５】
その後、配信装置１００の決定部１３４は、モデルを決定する（ステップＳ３０３）。例えば、決定部１３４は、端末装置１０へ配信するコンテンツを決定するモデルを決定する。
【０１０６】
そして、決定部１３４は、コンテンツの順位を決定する（ステップＳ３０４）。例えば、決定部１３４は、ステップＳ３０３において決定したモデルとコンテンツとに基づいて、コンテンツのスコアを算出する。また、例えば、決定部１３４は、算出したスコアに基づいて各コンテンツの順位を決定する。
【０１０７】
その後、配信装置１００の配信部１３５は、順位に基づいてコンテンツを配信する（ステップＳ３０５）。例えば、配信部１３５は、ステップＳ３０４において決定した順位に基づいてコンテンツを配信する。
【０１０８】
〔５．区分と情報の利用〕
上述した例においては、ユーザに関する区分をユーザとして説明したが、ユーザに関する区分は、ユーザに限らず、目的に応じて種々の区分が用いられてもよい。この点について、図１３を用いて説明する。図１３は、実施形態に係るユーザに関する区分の一例を示す図である。
【０１０９】
ここで、図１３中の分割情報一覧ＵＬ１１は、各ユーザの行動情報がコンテキストごとに分割された状態を示す。分割情報一覧ＵＬ１１は、分割情報記憶部１２３と同様に、区分であるユーザを行とし、コンテキストを列とした場合を示す。なお、分割情報一覧ＵＬ１１中の一のユーザと一のコンテキストとが交差する領域をマスとする。例えば、図１３では、ユーザＵ４とコンテキストＣＴ１２とが交差する領域をマスＭＳ４２−１とする。
【０１１０】
図１３に示す各マスＭＳに含まれる情報は、ユーザに関する区分ごとのユーザの行動に関する行動情報がコンテキストに基づいて分割された分割情報である。なお、図１３では、行動ＡＴ１１等の図示を省略する。例えば、図１３では、各マスＭＳにおける「○」、「×」は、各マスＭＳに含まれる分割情報の量を示す。また、図１３中の各マスＭＳにおける「○」、「×」が示す意味は、図１と同様である。例えば、ユーザＵ１とコンテキストＣＴ１１とが交差する位置のマスＭＳに含まれる分割情報の量は、ユーザＵ１とコンテキストＣＴ１２とが交差する位置のマスＭＳに含まれる分割情報の量よりも多いことを示す。また、例えば、ユーザＵ１とコンテキストＣＴ１２とが交差する位置のマスＭＳに含まれる分割情報の量は、ユーザＵ１とコンテキストＣＴ１３とが交差する位置のマスＭＳに含まれる分割情報の量よりも多いことを示す。また、例えば、ユーザＵ２とコンテキストＣＴ１１とが交差する位置のマスＭＳには分割情報が含まれないことを示す。
【０１１１】
図１３では、各ユーザの分割情報に基づいて、所定のユーザ属性に基づく分類ごとの分割情報を生成する（ステップＳ２１）。例えば、配信装置１００は、図１３中の分類毎の分割情報一覧ＧＬ１１に示すように、分類Ｇ１や分類Ｇ２や分類Ｇ３のように所定のユーザ属性に基づく分類の分割情報を生成する。具体的には、配信装置１００は、２０代男性の分類Ｇ１の分割情報を生成する。この場合、配信装置１００は、２０代男性であるユーザＵ１やユーザＵ４等の分割情報を統合して分類Ｇ１の分割情報を生成する。また、配信装置１００は、２０代女性の分類Ｇ２の分割情報を生成する。この場合、配信装置１００は、２０代女性であるユーザＵ２等の分割情報を統合して分類Ｇ２の分割情報を生成する。また、配信装置１００は、興味の対象がスポーツの分類Ｇ３の分割情報を生成する。この場合、配信装置１００は、ユーザ情報記憶部１２１に示すように興味の対象がスポーツであるユーザＵ１等の分割情報を統合して分類Ｇ３の分割情報を生成する。
【０１１２】
そして、配信装置１００は、分割情報一覧ＧＬ１１の各マスＭＳの分割情報をユーザのマスＭＳに加えてもよい。この点について、図１４を用いて説明する。図１４は、実施形態に係る他の区分における分割情報の利用の一例を示す図である。
【０１１３】
図１４に示す分割情報一覧ＧＬ１１は、図１３に示す分割情報一覧ＧＬ１１と同様である。ここで、図１３中の分割情報一覧ＵＬ１１において、ユーザＵ４とコンテキストＣＴ１２とが交差する位置のマスＭＳ４２−１には、分割情報が含まれない。すなわち、ユーザＵ４とコンテキストＣＴ１２とが交差する位置のマスＭＳ４２−１は、分割情報が不足するマスＭＳである。
【０１１４】
そのため、配信装置１００は、分類毎の分割情報を利用する（ステップＳ２２）。例えば、配信装置１００は、分割情報一覧ＵＬ１２に示すように、マスＭＳ４２−２に分割情報一覧ＧＬ１１において対応するマスＭＳに含まれる分割情報を加える。具体的には、配信装置１００は、分割情報一覧ＧＬ１１中の分類Ｇ１におけるコンテキストＣＴ１２のマスＭＳに含まれる分割情報をマスＭＳ４２−２に加える。このように、配信装置１００は、分割情報一覧ＵＬ１１において分割情報が不足するマスＭＳに、分割情報一覧ＧＬ１１において対応するマスＭＳに含まれる分割情報を加えることにより、分割情報一覧ＵＬ１１において分割情報が不足するマスＭＳを削減できる。また、例えば、配信装置１００は、ユーザＵ１におけるコンテキストＣＴ１３のマスＭＳに、ユーザＵ１の興味「スポーツ」に対応する分類Ｇ３におけるコンテキストＣＴ１３のマスＭＳに含まれる分割情報をマスＭＳ４２−２に加えてもよい。また、配信装置１００は、あるユーザの分割情報が不足するマスＭＳに、そのユーザのユーザ属性に類似するユーザにおいて対応するマスＭＳに含まれる分割情報を加えてもよい。例えば、配信装置１００は、ユーザＵ４におけるコンテキストＣＴ１２のマスＭＳ４２にユーザ属性が類似するユーザＵ１におけるコンテキストＣＴ１２のマスＭＳに含まれる分割情報を加えてもよい。
【０１１５】
また、配信装置１００は、生成した分割情報一覧ＧＬ１１を用いてモデルを生成し、生成したモデルを利用してもよい。この点について、図１５を用いて説明する。図１５は、実施形態に係る他の区分におけるモデルの利用の一例を示す図である。なお、配信装置１００は、分割情報一覧ＵＬ１１と分割情報一覧ＧＬ１１とを合わせてモデルを生成してもよい。例えば、配信装置１００は、分割情報一覧ＵＬ１１と分割情報一覧ＧＬ１１とを用いて生成処理を行ってもよい。例えば、配信装置１００は、分割情報一覧ＵＬ１１に含まれる分割情報と分割情報一覧ＧＬ１１に含まれる分割情報とをクラスタリングして、各クラスタに対してモデルを生成してもよい。
【０１１６】
図１５中のクラスタ情報一覧ＭＬ１１は、クラスタ情報記憶部１２４に示すような各マスＭＳに含まれる分割情報のクラスタリングに関する情報が含まれる。図１５中のクラスタ情報一覧ＭＬ１１は、Ｍ１〜Ｍ６によって示される６つのクラスタを含むことを示す。
【０１１７】
また、図１５中のクラスタ情報一覧ＭＬ１２は、分類毎の分割情報一覧ＧＬ１１から生成された分割情報のクラスタリングに関する情報が含まれる。図１５中のクラスタ情報一覧ＭＬ１２は、Ｍ１１〜Ｍ１３等によって示される６つのクラスタを含むことを示す。すなわち、配信装置１００は、分割情報一覧ＧＬ１１からクラスタ情報一覧ＭＬ１２に示すような、モデルＭ１１〜Ｍ１３等のモデルを生成する。
【０１１８】
ここで、図１５中のクラスタ情報一覧ＭＬ１１において、ユーザＵ４とコンテキストＣＴ１２とが交差する位置のマスＭＳはいずれのクラスタにも属さない。すなわち、ユーザＵ４とコンテキストＣＴ１２とが交差する位置のマスＭＳは、モデルが割り当てられていいないマスＭＳである。
【０１１９】
そのため、配信装置１００は、分類毎のモデルを利用する（ステップＳ３１）。具体的には、配信装置１００は、ユーザＵ４とコンテキストＣＴ１２とが交差する位置のマスＭＳにクラスタ情報一覧ＭＬ１２において対応するマスＭＳに含まれるモデルを割り当てる。この場合、配信装置１００は、分類Ｇ１とコンテキストＣＴ１２とが交差する位置のマスＭＳに含まれるモデルＭ１２を、ユーザＵ４とコンテキストＣＴ１２とが交差する位置のマスＭＳに割当てる。このように、配信装置１００は、クラスタ情報一覧ＭＬ１１においてモデルが割り当てられていないマスＭＳに、クラスタ情報一覧ＭＬ１２において対応するマスＭＳに含まれるモデルを割り当てることにより、クラスタ情報一覧ＭＬ１１においてモデルが割り当てられていないマスＭＳを削減できる。
【０１２０】
〔６．コンテキストの変動及び統合〕
上述した例においては、コンテキストが、朝（４〜１０時）、昼（１０〜１６時）、夜（１６〜２２時）、深夜（２２〜４時）の４つの時間帯と、家（自宅）またはオフィス（勤務地）の２つの位置とに基づく、８つのコンテキストＣＴ１１〜ＣＴ１８である場合を示した。しかしながら、コンテキストは、上記の８つに限らず、目的に応じて種々変動させてもよい。例えば、配信装置１００は、各区分における情報量等に応じてコンテキストを変動させてもよい。この点について、図１６を用いて説明する。図１６は、実施形態に係るコンテキストの変動の一例を示す図である。
【０１２１】
図１６に示す分割情報一覧ＵＬ１１は、図１３に示す分割情報一覧ＵＬ１１と同様である。すなわち、分割情報一覧ＵＬ１１は、朝（４〜１０時）、昼（１０〜１６時）、夜（１６〜２２時）、深夜（２２〜４時）の４つの時間帯と、家（自宅）またはオフィス（勤務地）の２つの位置とに基づく、８つのコンテキストＣＴ１１〜ＣＴ１８に分割された場合を示す。分割情報一覧ＵＬ１１には、ユーザＵ１〜Ｕ４等が含まれる。
【０１２２】
ここで、ユーザＵ１１１は、他のユーザＵ１〜Ｕ４等に比べて収集された行動情報が非常に多いユーザであるものとする。そのため、配信装置１００は、ユーザＵ１１１については、分割情報一覧ＵＬ１１に示す８つのコンテキストよりも細分化したコンテキストに基づいて、分割情報を生成する。
【０１２３】
図１６では、配信装置１００は、分割情報一覧ＵＬ１１１に示すように、０時〜２３時の２４の時間帯と、家（自宅）またはオフィス（勤務地）の２つの位置とに基づく、４８のコンテキストＣＴ１１１〜ＣＴ１２２等に基づいて、分割情報を生成する。すなわち、配信装置１００は、収集された行動情報が非常に多いユーザＵ１１１については、８つのコンテキストよりも細分化された４８のコンテキストに基づいて、分割情報を生成する。なお、図１６に示す分割情報一覧ＵＬ１１１中の「０時」は０時台を意味し、例えば、０時０分０秒から０時５９分５９秒までに対応する。また、図１６に示す分割情報一覧ＵＬ１１１中の「１時」〜「２３時」についても同様である。
【０１２４】
このように、配信装置１００は、ユーザごとに収集される行動情報の量に基づいて、分割情報を生成するコンテキストを変動させてもよい。なお、配信装置１００は、分割情報一覧ＵＬ１１と分割情報一覧ＵＬ１１１とを合わせてモデルを生成してもよい。また、分割情報一覧ＵＬ１１１に示すユーザＵ１１１のように、ユーザ単体で各コンテキストに十分な分割情報が含まれるユーザについては、配信装置１００は、ユーザの各々に対するモデルを生成してもよい。例えば、配信装置１００は、ユーザＵ１１１自身の行動情報のみを用いて、ユーザＵ１１１の各コンテキストに対応するモデルを生成してもよい。また、配信装置１００は、図１３に示すように、分割情報が不足するユーザのマスＭＳに対してユーザＵ１１１の分割情報を追加してもよい。すなわち、配信装置１００は、ユーザＵ１１１の各コンテキストに対応するモデルを生成し、ユーザＵ１１１の情報を他のユーザに利用させてもよい。
【０１２５】
また、配信装置１００は、所定の区分におけるマスＭＳの情報量が少ない場合、その区分におけるコンテキストを統合させてもよい。この点について、図１７を用いて説明する。図１７は、実施形態に係るコンテキストの統合の一例を示す図である。
【０１２６】
図１７に示す分割情報一覧ＵＬ１１は、図１３に示す分割情報一覧ＵＬ１１と同様である。すなわち、分割情報一覧ＵＬ１１は、朝（４〜１０時）、昼（１０〜１６時）、夜（１６〜２２時）、深夜（２２〜４時）の４つの時間帯と、家（自宅）またはオフィス（勤務地）の２つの位置とに基づく、８つのコンテキストＣＴ１１〜ＣＴ１８に分割された場合を示す。分割情報一覧ＵＬ１１には、ユーザＵ１〜Ｕ４等が含まれる。
【０１２７】
ここで、ユーザＵ１１２は、他のユーザＵ１〜Ｕ４等に比べて深夜において収集された行動情報が非常に少ないユーザであるものとする。そのため、配信装置１００は、ユーザＵ１１２については、分割情報一覧ＵＬ１１に示す８つのコンテキストのうち、深夜に関するコンテキストを統合した７つのコンテキストに基づいて、分割情報を生成する。具体的には、配信装置１００は、分割情報一覧ＵＬ１１に示す８つのコンテキストのうち、深夜に関するコンテキストＣＴ１７及びコンテキストＣＴ１８を統合した深夜に対応するコンテキストＣＴ１２１を含む７つのコンテキストに基づいて、分割情報を生成する。すなわち、配信装置１００は、深夜において収集された行動情報が非常に少ないユーザＵ１１２については、深夜における家（自宅）かオフィス（勤務地）かの区別をなくしたコンテキストに基づいて、分割情報を生成する。
【０１２８】
このように、配信装置１００は、ユーザごとに収集される行動情報の量に基づいて、分割情報を生成するコンテキストを統合させてもよい。なお、配信装置１００は、分割情報一覧ＵＬ１１と分割情報一覧ＵＬ１１２とを合わせてモデルを生成してもよい。
【０１２９】
〔７．ユーザ属性の推定〕
また、配信装置１００は、各区分におけるクラスタの配置等に基づいて、ユーザのユーザ属性を推定してもよい。この点について、図１８を用いて説明する。図１８は、実施形態に係るクラスタ及びモデルに基づくユーザ属性の推定の一例を示す図である。
【０１３０】
図１８に示す分割情報一覧ＵＬ２１は、図１３に示す分割情報一覧ＵＬ１１にユーザＵ２１の分割情報を追加したものである。すなわち、分割情報一覧ＵＬ２１は、朝（４〜１０時）、昼（１０〜１６時）、夜（１６〜２２時）、深夜（２２〜４時）の４つの時間帯と、家（自宅）またはオフィス（勤務地）の２つの位置とに基づく、８つのコンテキストＣＴ１１〜ＣＴ１８に分割された場合を示す。また、分割情報一覧ＵＬ２１には、ユーザＵ１〜Ｕ４、Ｕ２１等が含まれる。またユーザＵ２１は、ユーザ属性である性別及び年齢が不明なユーザであるものとする。
【０１３１】
まず、配信装置１００は、分割情報一覧ＵＬ２１中の各マスＭＳの分割情報を用いて、モデルを生成する（ステップＳ４１）。例えば、配信装置１００は、分割情報一覧ＵＬ２１中の各マスＭＳの分割情報をクラスタリングし、クラスタ情報一覧ＭＬ２１に示すようなクラスタごとにモデルを生成する。例えば、配信装置１００は、図１中のステップＳ１４と同様の処理によりモデルを生成する。
【０１３２】
その後、配信装置１００は、性別及び年齢が不明なユーザＵ２１の性別及び年齢をクラスタの配置により推定する（ステップＳ４２）。例えば、配信装置１００は、ユーザ属性情報ＵＡ２１に示すように、分割情報一覧ＵＬ２１中のユーザＵ２１におけるクラスタの配置とクラスタの配置が類似するユーザの性別及び年齢をユーザＵ２１の性別及び年齢と推定する。
【０１３３】
ここで、図１８では、配信装置１００は、ユーザＵ４のコンテキストＣＴ１１に対応するマスＭＳと、ユーザＵ２１のコンテキストＣＴ１２に対応するマスＭＳとを、同じクラスタに分類する。すなわち、ユーザＵ４とユーザＵ２１とは、朝の時間帯において同じモデルＭ３が適用される。また、配信装置１００は、ユーザＵ４のコンテキストＣＴ１３に対応するマスＭＳと、ユーザＵ２１のコンテキストＣＴ１３に対応するマスＭＳとを、同じクラスタに分類する。すなわち、ユーザＵ４とユーザＵ２１とは、昼の時間帯において家（自宅）にいる場合、同じモデルＭ１が適用される。また、配信装置１００は、ユーザＵ４のコンテキストＣＴ１６に対応するマスＭＳと、ユーザＵ２１のコンテキストＣＴ１７に対応するマスＭＳとを、同じクラスタに分類する。すなわち、ユーザＵ４とユーザＵ２１とは、夜〜深夜の時間帯において同じモデルＭ６が適用される。
【０１３４】
このように、ユーザＵ４とユーザＵ２１とはクラスタの配置、すなわち適用されるモデルの配置が類似しているため、配信装置１００は、ユーザＵ２１の性別及び年齢をユーザＵ４の性別及び年齢と同様であると推定する。具体的には、配信装置１００は、ユーザＵ２１の性別をユーザＵ４と同じ「男」であると推定し、年齢をユーザＵ４と同じ「２０代」であると推定する。このように、配信装置１００は、クラスタの配置、すなわち適用されるモデルの配置の類似に基づいて、ユーザ属性が不明なユーザのユーザ属性を推定することができる。
【０１３５】
〔８．効果〕
上述してきたように、実施形態に係る配信装置１００は、取得部１３１と、生成部１３３とを有する。取得部１３１は、ユーザに関する区分ごとのユーザの行動に関する行動情報であって、コンテキストに基づいて分割された行動情報である分割情報を取得する。また、生成部１３３は、各分割情報に含まれる行動情報の傾向に基づいて組み合わされた分割情報である組合情報ごとに、所定の対象を予測するモデルを生成する。
【０１３６】
これにより、実施形態に係る配信装置１００は、区分とコンテキストとに基づいて分割された情報をクラスタリングすることにより、各区分の各コンテキストに応じて適切なモデルを生成することができる。したがって、配信装置１００は、コンテキストに基づいて所定の対象を適切に予測するモデルを生成することができる。
【０１３７】
また、実施形態に係る配信装置１００において、生成部１３３は、組合情報に含まれる分割情報の各々に対応するコンテキストにおける当該分割情報に対応する区分に含まれるユーザに関する所定の対象を予測するモデルを生成する。
【０１３８】
これにより、実施形態に係る配信装置１００は、区分とコンテキストとに基づいて分割された情報をクラスタリングすることにより、各区分の各コンテキストに応じて適切なモデルを生成することができる。したがって、配信装置１００は、コンテキストに基づいて所定の対象を適切に予測するモデルを生成することができる。
【０１３９】
また、実施形態に係る配信装置１００において、取得部１３１は、区分として、ユーザ、またはユーザ属性に基づく分類ごとのユーザの行動に関する行動情報が、コンテキストに基づいて分割された分割情報を取得する。
【０１４０】
これにより、実施形態に係る配信装置１００は、区分を適宜変更して各マスに含まれる分割情報の量を調整することができる。したがって、コンテキストに基づいて所定の対象を適切に予測するモデルを生成することができる。
【０１４１】
また、実施形態に係る配信装置１００において、生成部１３３は、区分間を跨ぐ組み合わせを含む組合情報ごとに、所定の対象を予測するモデルを生成する。
【０１４２】
これにより、実施形態に係る配信装置１００は、コンテキストに基づいて各区分の行動情報を分割しても、区分間を跨ぐクラスタリングを行うことにより、各モデルの生成に用いられる情報量が不足することを抑制することができる。したがって、配信装置１００は、コンテキストに基づいて所定の対象を適切に予測するモデルを生成することができる。
【０１４３】
また、実施形態に係る配信装置１００において、生成部１３３は、組合情報に含まれる各分割情報に対応するユーザの分類及びコンテキストの組合せにおける所定の対象の予測精度が高くなるように分割情報が組み合わされた組合情報ごとに、所定の対象を予測するモデルを生成する。
【０１４４】
これにより、実施形態に係る配信装置１００は、組合情報に含まれる各分割情報に対応するユーザの分類及びコンテキストの組合せにおける所定の対象の予測精度が高くなるように分割情報が組み合わせることにより、コンテキストに基づいて所定の対象を適切に予測するモデルを生成することができる。
【０１４５】
また、実施形態に係る配信装置１００において、生成部１３３は、各分割情報に含まれる行動情報が類似する分割情報が組み合わされた組合情報ごとに、所定の対象を予測するモデルを生成する。
【０１４６】
これにより、実施形態に係る配信装置１００は、各分割情報に含まれる行動情報が類似する分割情報を組み合わせることにより、コンテキストに基づいて所定の対象を適切に予測するモデルを生成することができる。
【０１４７】
また、実施形態に係る配信装置１００において、生成部１３３は、組合情報の数が所定数になる手法により分割情報が組み合わされた組合情報ごとに、所定の対象を予測するモデルを生成する。
【０１４８】
これにより、実施形態に係る配信装置１００は、組合情報の数が所定数になる手法を用いることにより、コンテキストに基づいて所定の対象を適切に予測するモデルを生成することができる。
【０１４９】
また、実施形態に係る配信装置１００において、生成部１３３は、組合情報の数が変動し得る手法により分割情報が組み合わされた組合情報ごとに、所定の対象を予測するモデルを生成する。
【０１５０】
これにより、実施形態に係る配信装置１００は、組合情報の数が変動し得る手法を用いることにより、コンテキストに基づいて所定の対象を適切に予測するモデルを生成することができる。
【０１５１】
また、実施形態に係る配信装置１００において、生成部１３３は、所定の対象として、ユーザのコンテンツへの関心を予測するモデルを生成する。
【０１５２】
これにより、実施形態に係る配信装置１００は、コンテキストに基づいてユーザのコンテンツへの関心を適切に予測するモデルを生成することができる。
【０１５３】
また、実施形態に係る配信装置１００において、生成部１３３は、一の区分がユーザである場合において、一のコンテキストにおけるユーザの分割情報が所定の条件を満たさない場合、一のコンテキストにおけるユーザのユーザ属性に類似する他の区分の分割情報を一のコンテキストにおけるユーザの分割情報に加えることにより、モデルを生成する。
【０１５４】
これにより、実施形態に係る配信装置１００は、どのようなユーザであっても、コンテキストに基づいて所定の対象を適切に予測するモデルを生成することができる。
【０１５５】
また、実施形態に係る配信装置１００において、生成部１３３は、一のコンテキストにおけるユーザの分割情報の量が所定量に満たない場合、一のコンテキストにおける他の区分の分割情報を一のコンテキストにおけるユーザの分割情報に加えることにより、モデルを生成する。
【０１５６】
これにより、実施形態に係る配信装置１００は、分割情報が不足するユーザであっても、コンテキストに基づいて所定の対象を適切に予測するモデルを生成することができる。
【０１５７】
また、実施形態に係る配信装置１００は推定部１３２を有する。推定部１３２は、一の区分がユーザである場合において、ユーザの各分割情報が含まれる組合情報と、他の区分の各分割情報が含まれる組合情報との類似度に基づいて、ユーザのユーザ属性を推定する。
【０１５８】
これにより、実施形態に係る配信装置１００は、ユーザのユーザ属性が不明である場合であっても、適切にユーザ属性を推定することができる。
【０１５９】
〔９．ハードウェア構成〕
上述してきた実施形態に係る配信装置１００は、例えば図１９に示すような構成のコンピュータ１０００によって実現される。図１９は、配信装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１６０】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１６１】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１６２】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１６３】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１６４】
例えば、コンピュータ１０００が実施形態に係る配信装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１６５】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１６６】
〔１０．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１６７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１６８】
また、上述してきた実施形態及び変形例は、処理内容を矛盾させない範囲で適宜組み合わせることが可能である。
【０１６９】
また、上述してきた「部（section、module、unit）」は、「手段」や「回路」などに読み替えることができる。例えば、取得部は、取得手段や取得回路に読み替えることができる。
【符号の説明】
【０１７０】
１  配信システム
１００  配信装置（生成装置）
１２１  ユーザ情報記憶部
１２２  行動情報記憶部
１２３  分割情報記憶部
１２４  クラスタ情報記憶部
１２５  学習情報記憶部
１２６  コンテンツ情報記憶部
１３０  制御部
１３１  取得部
１３２  推定部
１３３  生成部
１３４  決定部
１３５  配信部
１０  端末装置
Ｎ  ネットワーク
【図１】
2020129409.tif 000003
【図２】
2020129409.tif 000004
【図３】
2020129409.tif 000005
【図４】
2020129409.tif 000006
【図５】
2020129409.tif 000007
【図６】
2020129409.tif 000008
【図７】
2020129409.tif 000009
【図８】
2020129409.tif 000010
【図９】
2020129409.tif 000011
【図１０】
2020129409.tif 000012
【図１１】
2020129409.tif 000013
【図１２】
2020129409.tif 000014
【図１３】
2020129409.tif 000015
【図１４】
2020129409.tif 000016
【図１５】
2020129409.tif 000017
【図１６】
2020129409.tif 000018
【図１７】
2020129409.tif 000019
【図１８】
2020129409.tif 000020
【図１９】
2020129409.tif 000021